(57)【要約】【課題】多心光コネクタにおける２つのフェルール間の光学特性を安定させつつ、これらのフェルールの接続を維持することができる多心光コネクタ用接続アダプタを提供する。【解決手段】多心光コネクタ用接続アダプタ１０は、ＭＴコネクタ１００のフェルール１２０Ａ，１２０ＢをＸ方向に互いに突き合わせて接続するために用いられ、フェルール１２０Ａ，１２０Ｂに沿ってＸ方向に延びるブリッジ部（下側壁２３Ａ、連結部２２、下側壁２３Ｂ）と、フェルール１２０Ａ，１２０Ｂのそれぞれの後方からフェルール１２０Ａ，１２０ＢをＸ方向に付勢するコイルバネ３７Ａ，３７Ｂと、ブリッジ部の両側でブリッジと垂直な方向に延びる１対の側壁３３Ａ，３４Ａ，３３Ｂ，３４Ｂとを備える。側壁３３Ａ，３４Ａ，３３Ｂ，３４Ｂは、コイルバネ３７Ａ，３７Ｂによりフェルール１２０Ａ，１２０Ｂを付勢することにより生じる力を受けるように構成される。【選択図】図２
2019113713.tif 000002
【特許請求の範囲】
【請求項１】
多心光コネクタの２つのフェルールを突合せ方向に互いに突き合わせて接続するために用いられる多心光コネクタ用接続アダプタであって、
前記２つのフェルールに沿って前記突合せ方向に延びるブリッジ部と、
前記２つのフェルールのそれぞれの後方から該フェルールを前記突合せ方向に付勢する付勢部と、
前記ブリッジ部の両側で前記ブリッジ部と垂直な方向に延びる１対の側壁であって、前記付勢部により前記フェルールを付勢することにより生じる力を受けるように構成された１対の側壁と
を備える、多心光コネクタ用接続アダプタ。
【請求項２】
前記ブリッジ部を含むアダプタ本体と、
前記１対の側壁及び前記付勢部を含み、前記アダプタ本体に対して着脱自在なアタッチメントと
を備える、請求項１に記載の多心光コネクタ用接続アダプタ。
【請求項３】
前記アタッチメント及び前記アダプタ本体の一方は、前記アタッチメント及び前記アダプタ本体の他方に形成された係合孔に係合する係合片を有する、請求項２に記載の多心光コネクタ用接続アダプタ。
【請求項４】
前記付勢部は、前記側壁から垂直に延出する後方壁に支持されるコイルバネである、請求項１から３のいずれか一項に記載の多心光コネクタ用接続アダプタ。
【請求項５】
前記付勢部は、前記側壁から延出する板バネである、請求項１から３のいずれか一項に記載の多心光コネクタ用接続アダプタ。
【発明の詳細な説明】
【技術分野】
【０００１】
本発明は、多心光コネクタ用接続アダプタに係り、特に多心光コネクタにおける２つのフェルールの接続を維持するための多心光コネクタ用接続アダプタに関するものである。
【背景技術】
【０００２】
多心の光ファイバテープ心線などの多心光ファイバを接続するための光コネクタとして例えばＭＴ（Mechanically Transferable）コネクタが知られている（例えば、特許文献１参照）。一般的に、このようなＭＴコネクタは、一方の光ファイバテープ心線に取り付けられたフェルールに装着された２本のガイドピンを、他方の光ファイバテープ心線に取り付けられたフェルールのガイド孔に挿入してこれらのフェルールの位置決めを行い、２つのフェルールを互いに突き合わせることで、それぞれのフェルールの接合面に露出した複数の光ファイバ同士を接続するものである。
【０００３】
ここで、上述した２つのフェルールには互いに係合する機構が設けられていない。したがって、２つのフェルールの接続を維持するために、図１に示すように、例えば金属からなるクリップ型接続アダプタ６００が用いられる。このクリップ型接続アダプタ６００は、ＭＴコネクタの長手方向に沿って延びる平板部６１０と、平板部６１０の長手方向における端部から屈曲して延びるバネ部６２０Ａ，６２０Ｂとを有している。このクリップ型接続アダプタ６００のバネ部６２０Ａ，６２０Ｂの間に、突き合わせたフェルール５１０Ａ，５１０Ｂを挟み込むことによりフェルール５１０Ａ，５１０Ｂの接続が維持される。
【０００４】
上述したクリップ型接続アダプタ６００のバネ部６２０Ａ，６２０Ｂは、図１の矢印Ｆで示すように、フェルール５１０Ａ，５１０Ｂの後方（光ファイバテープ心線５３０が取り付けられた側）から前方（フェルール５１０Ａ，５１０Ｂが突き合わされた側）に向かってフェルール５１０Ａ，５１０Ｂを付勢しているが、いずれのバネ部６２０Ａ，６２０Ｂも平板部６１０の端部から延出するものであるため、バネ部６２０Ａ，６２０Ｂがフェルール５１０Ａ，５１０Ｂを付勢する際に変形すると、平板部６１０には矢印Ｍで示す力が作用し、この結果、フェルール５１０Ａ，５１０Ｂには突き合わせ方向に対して斜めの力が作用することとなる。このようにフェルール５１０Ａ，５１０Ｂの突き合わせ方向に対して斜めの力が作用すると、互いに突き合わされたフェルール５１０Ａ，５１０Ｂ間の光学特性が安定しないという問題がある。
【先行技術文献】
【特許文献】
【０００５】
【特許文献１】特開平１０−１５３７２３号公報
【発明の概要】
【発明が解決しようとする課題】
【０００６】
本発明は、このような従来技術の問題点に鑑みてなされたもので、多心光コネクタにおける２つのフェルール間の光学特性を安定させつつ、これらのフェルールの接続を維持することができる多心光コネクタ用接続アダプタを提供することを目的とする。
【課題を解決するための手段】
【０００７】
本発明の一態様によれば、多心光コネクタにおける２つのフェルール間の光学特性を安定させつつ、これらのフェルールの接続を維持することができる多心光コネクタ用接続アダプタが提供される。この多心光コネクタ用接続アダプタは、多心光コネクタの２つのフェルールを突合せ方向に互いに突き合わせて接続するために用いられる。この多心光コネクタ用接続アダプタは、上記２つのフェルールに沿って上記突合せ方向に延びるブリッジ部と、上記２つのフェルールのそれぞれの後方から該フェルールを上記突合せ方向に付勢する付勢部と、上記ブリッジ部の両側で上記ブリッジ部と垂直な方向に延びる１対の側壁とを備える。上記１対の側壁は、上記付勢部により上記フェルールを付勢することにより生じる力を受けるように構成されている。
【０００８】
本明細書において、フェルールの「後方」とは、２つのフェルールの接合面から遠ざかる方向に位置することを意味するものとする。
【０００９】
このような構成により、多心光コネクタの２つのフェルールを付勢部によって突合せ方向に付勢することができるので、互いに突き合わされた２つのフェルールの接続を維持することができる。また、付勢部によりフェルールを付勢することにより生じる力を側壁が受けるようになっているので、フェルールを付勢することにより生じる力によってブリッジ部が変形することが抑制される。したがって、フェルールには、フェルールの付勢に起因して突合せ方向に対して斜めの力がほとんど作用しないため、互いに突き合わされたフェルール間の光学特性を安定させることができる。
【００１０】
上記多心光コネクタ用接続アダプタは、上記ブリッジ部を含むアダプタ本体と、上記１対の側壁及び上記付勢部を含み、上記アダプタ本体に対して着脱自在なアタッチメントとを備えていてもよい。この場合には、アダプタ本体上で２つのフェルールを突き合わせた後に、アダプタ本体にアタッチメントを装着するだけで、多心光コネクタ用接続アダプタをこれらのフェルールに実装することが可能であり、実装時の作業性が向上する。
【００１１】
上記アタッチメント及び上記アダプタ本体の一方は、上記アタッチメント及び上記アダプタ本体の他方に形成された係合孔に係合する係合片を有していてもよい。このような係合片が係合孔に係合することで、アタッチメントの移動が規制されるので、付勢部によって確実にフェルールを付勢することができる。
【００１２】
上記付勢部は、上記側壁から垂直に延出する後方壁に支持されるコイルバネであってもよく、あるいは、上記側壁から延出する板バネであってもよい。
【発明の効果】
【００１３】
本発明によれば、多心光コネクタの２つのフェルールを付勢部によって突合せ方向に付勢することができるので、互いに突き合わされた２つのフェルールの接続を維持することができる。また、付勢部によりフェルールを付勢することにより生じる力を側壁が受けるようになっているので、フェルールを付勢することにより生じる力によってブリッジ部が変形することが抑制される。したがって、フェルールには、フェルールの付勢に起因して突合せ方向に対して斜めの力がほとんど作用しないため、互いに突き合わされたフェルール間の光学特性を安定させることができる。
【図面の簡単な説明】
【００１４】
【図１】図１は、従来のＭＴコネクタの接続状態を示す模式図である。
【図２】図２は、本発明の第１の実施形態における多心光コネクタ用接続アダプタを多心光コネクタとともに示す分解斜視図である。
【図３】図３は、図２に示す多心光コネクタ用接続アダプタを多心光コネクタに取り付けた状態を示す横断面図である。
【図４】図４は、図２に示す多心光コネクタ用接続アダプタを多心光コネクタに取り付けた状態を示す縦断面図である。
【図５】図５は、本発明の第２の実施形態における多心光コネクタ用接続アダプタを多心光コネクタとともに示す分解斜視図である。
【図６】図６は、図５に示す多心光コネクタ用接続アダプタを多心光コネクタに取り付けた状態を示す横断面図である。
【発明を実施するための形態】
【００１５】
以下、本発明に係る多心光コネクタ用接続アダプタの実施形態について図２から図６を参照して詳細に説明する。なお、図２から図６において、同一又は相当する構成要素には、同一の符号を付して重複した説明を省略する。また、図２から図６においては、各構成要素の縮尺や寸法が誇張されて示されている場合や一部の構成要素が省略されている場合がある。
【００１６】
図２は、本発明の第１の実施形態における多心光コネクタ用接続アダプタ１０を多心光コネクタ１００とともに示す分解斜視図、図３は、多心光コネクタ用接続アダプタ１０を多心光コネクタ１００に取り付けた状態を示す横断面図、図４は、多心光コネクタ用接続アダプタ１０を多心光コネクタ１００に取り付けた状態を示す縦断面図である。なお、以下の実施形態では、多心光コネクタとして、日本工業規格ＪＩＳ  Ｃ  ５９８１に規定されるフェルールを用いたＭＴコネクタを用いた例を説明するが、本発明に係る多心光コネクタ用接続アダプタは、ＭＴコネクタ以外の多心光コネクタにも適用できることは言うまでもない。
【００１７】
ＭＴコネクタ１００は、Ｘ方向に延びる２本の多心光ファイバテープ心線１１０Ａ，１１０Ｂを互いに接続するために用いられる。このＭＴコネクタ１００は、光ファイバテープ心線１１０Ａに取り付けられたフェルール１２０Ａと、光ファイバテープ心線１１０Ｂに取り付けられたフェルール１２０Ｂとから構成され、フェルール１２０Ａに装着された２本のガイドピン１３０をフェルール１２０Ｂのガイド孔１３２（図４参照）に挿入して、フェルール１２０Ａ，１２０Ｂの位置決めを行うようになっている。２つのフェルール１２０Ａ，１２０Ｂを互いに突き合わせることで、それぞれのフェルール１２０Ａ，１２０Ｂの接合面１２２に露出した複数の光ファイバ１４０同士を接続することができる。なお、図３においては、理解を容易にするため、光ファイバテープ心線１１０Ａ，１１０Ｂ及びフェルール１２０Ａ，１２０Ｂの断面の図示を省略している。
【００１８】
多心光コネクタ用接続アダプタ１０は、このようにして互いに突き合わせたフェルール１２０Ａ，１２０Ｂの接続を維持するために用いられるものであり、Ｘ方向の両側に略箱状の収容部２１Ａ，２１Ｂを有するアダプタ本体２０と、アダプタ本体２０の収容部２１Ａ，２１Ｂにそれぞれ収容可能なアタッチメント３０Ａ，３０Ｂとを含んでいる。また、アダプタ本体２０は、収容部２１Ａと収容部２１Ｂとを連結する板状の連結部２２を有している。
【００１９】
収容部２１Ａは、下側壁２３Ａと、下側壁２３ＡのＹ方向の両縁部から＋Ｚ方向に延びる側壁２４Ａ，２５Ａと、矩形の係合孔２６Ａが形成された上側壁２７Ａとを有しており、収容部２１ＡのＸ方向の両側にはフェルール１２０Ａを挿通させる開口が形成されている。同様に、収容部２１Ｂは、下側壁２３Ｂと、下側壁２３ＢのＹ方向の両縁部から＋Ｚ方向に延びる側壁２４Ｂ，２５Ｂと、矩形の係合孔２６Ｂが形成された上側壁２７Ｂとを有しており、収容部２１ＢのＸ方向の両側にはフェルール１２０Ｂを挿通させる開口が形成されている。
【００２０】
アタッチメント３０Ａは、上側壁３１Ａと、上側壁３１Ａから＋Ｚ方向に突出して延びる係合片３２Ａと、上側壁３１ＡのＹ方向の両縁部から−Ｚ方向に延びる側壁３３Ａ，３４Ａと、側壁３３Ａ，３４Ａの−Ｘ方向の端部からそれぞれ−Ｙ方向及び＋Ｙ方向に延出する後方壁３５Ａと、後方壁３５Ａから＋Ｘ方向に延びるバネ保持部３６Ａと、バネ保持部３６Ａに保持されるコイルバネ３７Ａとを有している。アタッチメント３０Ａは、係合片３２Ａを除いてアダプタ本体２０の収容部２１Ａに収容可能な寸法に形成されている。アタッチメント３０Ａの係合片３２Ａは、収容部２１Ａの係合孔２６Ａに対応して形成されており、弾性的に変形可能となっている。したがって、アタッチメント３０Ａを収容部２１Ａに挿入していくと、係合片３２Ａが−Ｚ方向に弾性変形し、係合片３２Ａが収容部２１Ａの係合孔２６Ａに至ったときに、係合片３２Ａが元の形状に戻ることにより、図４に示すように、アタッチメント３０Ａの係合片３２Ａの−Ｘ方向の端部が収容部２１Ａの係合孔２６Ａに係合するようになっている。これにより、アタッチメント３０Ａが−Ｘ方向に移動することが規制され、コイルバネ３７Ａによって確実にフェルール１０２Ａを付勢することができる。
【００２１】
同様に、アタッチメント３０Ｂは、上側壁３１Ｂと、上側壁３１Ｂから＋Ｚ方向に突出して延びる係合片３２Ｂと、上側壁３１ＢのＹ方向の両縁部から−Ｚ方向に延びる側壁３３Ｂ，３４Ｂと、側壁３３Ｂ，３４Ｂの＋Ｘ方向の端部からそれぞれ−Ｙ方向及び＋Ｙ方向に延びる後方壁３５Ｂと、後方壁３５Ｂから−Ｘ方向に延びるバネ保持部３６Ｂと、バネ保持部３６Ｂに保持されるコイルバネ３７Ｂとを有している。アタッチメント３０Ｂは、係合片３２Ｂを除いてアダプタ本体２０の収容部２１Ｂに収容可能な寸法に形成されている。アタッチメント３０Ｂの係合片３２Ｂは、収容部２１Ｂの係合孔２６Ｂに対応して形成されており、弾性的に変形可能となっている。したがって、アタッチメント３０Ｂを収容部２１Ｂに挿入していくと、係合片３２Ｂが−Ｚ方向に弾性変形し、係合片３２Ｂが収容部２１Ｂの係合孔２６Ｂに至ったときに、係合片３２Ｂが元の形状に戻ることにより、アタッチメント３０Ｂの係合片３２Ｂの＋Ｘ方向の端部が収容部２１Ｂの係合孔２６Ｂに係合するようになっている。これにより、アタッチメント３０Ｂが＋Ｘ方向に移動することが規制されるので、コイルバネ３７Ｂによって確実にフェルール１０２Ｂを付勢することができる。
【００２２】
フェルール１２０Ａとフェルール１２０Ｂとは、アダプタ本体２０の収容部２１Ａと収容部２１Ｂにそれぞれ挿入され、図３及び図４に示すように、連結部２２の略中央で互いに突き合わされる。フェルール１２０Ａの後方にはアタッチメント３０Ａが装着され、フェルール１２０Ｂの後方にはアタッチメント３０Ｂが装着される。上述のように、アタッチメント３０Ａの係合片３２Ａが収容部２１Ａの係合孔２６Ａに係合し、アタッチメント３０Ｂの係合片３２Ｂが収容部２１Ｂの係合孔２６Ｂに係合することで、アタッチメント３０Ａのコイルバネ３７Ａがフェルール１２０Ａの背面１２４Ａを＋Ｘ方向に付勢し、アタッチメント３０Ｂのコイルバネ３７Ｂがフェルール１２０Ｂの背面１２４Ｂを−Ｘ方向に付勢する。これにより、フェルール１２０Ａ，１２０Ｂが突合せ方向（Ｘ方向）に互いに突き合わされた状態で保持される（図３の矢印参照）。
【００２３】
上述の構成において、収容部２１Ａの下側壁２３Ａと連結部２２と収容部２１Ｂの下側壁２３Ｂとは、２つのフェルール１２０Ａ，１２０Ｂに沿ってＸ方向に延びるブリッジ部となっており、２つの１２０Ａ，１２０Ｂを支持する役割を有する。また、アタッチメント３０Ａのコイルバネ３７Ａは、フェルール１２０Ａの後方からフェルール１２０Ａを＋Ｘ方向に付勢する付勢部として機能し、アタッチメント３０Ｂのコイルバネ３７Ｂは、フェルール１２０Ｂの後方からフェルール１２０Ｂを−Ｘ方向に付勢する付勢部として機能する。
【００２４】
ここで、アタッチメント３０Ａのコイルバネ３７Ａによりフェルール１２０Ａを付勢することにより生じる反発力は、後方壁３５Ａを介して側壁３３Ａ，３４Ａが受けるようになっており、ブリッジ部（下側壁２３Ａと連結部２２と下側壁２３Ｂ）は直接この力を受けないようになっている。同様に、アタッチメント３０Ｂのコイルバネ３７Ｂによりフェルール１２０Ｂを付勢することにより生じる反発力は、後方壁３５Ｂを介して側壁３３Ｂ，３４Ｂが受けるようになっており、ブリッジ部（下側壁２３Ａと連結部２２と下側壁２３Ｂ）は直接この力を受けないようになっている。
【００２５】
このように、本実施形態によれば、ＭＴコネクタ１００の２つのフェルール１２０Ａ，１２０Ｂを付勢部としてのコイルバネ３７Ａ，３７Ｂによって突合せ方向（Ｘ方向）に付勢することができるので、互いに突き合わされた２つのフェルール１２０Ａ，１２０Ｂの接続を維持することができる。また、コイルバネ３７Ａ，３７Ｂによりフェルール１２０Ａ，１２０Ｂを付勢することにより生じる反発力をアタッチメント３０Ａ，３０Ｂの側壁３３Ａ，３４Ａ，３３Ｂ，３４Ｂが受けるようになっているので、フェルール１２０Ａ，１２０Ｂを付勢することにより生じる反発力によってブリッジ部（下側壁２３Ａと連結部２２と下側壁２３Ｂ）が変形することが抑制される。したがって、フェルール１２０Ａ，１２０Ｂには、フェルール１２０Ａ，１２０Ｂに対する付勢に起因して突合せ方向（Ｘ方向）に対して斜めの力がほとんど作用しないため、互いに突き合わされたフェルール１２０Ａ，１２０Ｂ間の光学特性を安定させることができる。
【００２６】
また、本実施形態では、多心光コネクタ用接続アダプタ１０のアダプタ本体２０とアタッチメント３０Ａ，３０Ｂとが別体として形成されているが、アダプタ本体２０とアタッチメント３０Ａ，３０Ｂとを一体に形成してもよい。ただし、この場合には、フェルール１２０Ａ，１２０Ｂに多心光コネクタ用接続アダプタ１０を装着する作業が煩雑になる。アダプタ本体２０とアタッチメント３０Ａ，３０Ｂとを別体とすれば、アダプタ本体２０上でフェルール１２０Ａ，１２０Ｂを突き合わせた後に、アダプタ本体２０にアタッチメント３０Ａ，３０Ｂを装着するだけで多心光コネクタ用接続アダプタ１０をフェルール１２０Ａ，１２０Ｂに実装することができる。したがって、作業性の観点からは、アダプタ本体２０とアタッチメント３０Ａ，３０Ｂとを別体とすることが好ましい。
【００２７】
本実施形態では、アダプタ本体２０の収容部２１Ａ，２１Ｂに係合孔２６Ａ，２６Ｂを形成し、アタッチメント３０Ａ，３０Ｂに係合片３２Ａ，３２Ｂを形成した例を説明したが、これに限られるものではない。例えば、アダプタ本体２０の収容部２１Ａ，２１Ｂに係合片を形成し、アタッチメント３０Ａ，３０Ｂにこれらの係合片が係合する係合孔を形成してもよい。また、このような係合片や係合孔が形成される部分は、収容部２１Ａ，１２Ｂの上側壁２７Ａ，２７Ｂやアタッチメント３０Ａ，３０Ｂの上側壁３１Ａ，３１Ｂに限られるものではない。
【００２８】
図５は、本発明の第２の実施形態における多心光コネクタ用接続アダプタ２１０をＭＴコネクタ１００とともに示す分解斜視図、図６は、多心光コネクタ用接続アダプタ２１０をＭＴコネクタ１００に取り付けた状態を示す横断面図である。図６においては、理解を容易にするため、光ファイバテープ心線１１０Ａ，１１０Ｂ及びフェルール１２０Ａ，１２０Ｂの断面の図示を省略している。
【００２９】
多心光コネクタ用接続アダプタ２１０は、第１の実施形態における接続アダプタ１０と同様に、互いに突き合わせたフェルール１２０Ａ，１２０Ｂの接続を維持するために用いられるものである。本実施形態における多心光コネクタ用接続アダプタ２１０は、平板状のブリッジ部２２１とブリッジ部２２１のＸ方向の両端部で＋Ｚ方向に延びる取付部２２２Ａ，２２２Ｂとを有するアダプタ本体２２０と、アダプタ本体２２０の取付部２２２Ａ，２２２Ｂにそれぞれ取付可能なアタッチメント２３０Ａ，２３０Ｂとを含んでいる。
【００３０】
１対の取付部２２２Ａは、ブリッジ部２２１の−Ｘ方向の端部でＹ方向に互いに対向して配置されており、取付部２２２Ａのそれぞれには矩形の係合孔２２６Ａが形成されている。また、１対の取付部２２２Ｂは、ブリッジ部２２１の＋Ｘ方向の端部でＹ方向に互いに対向して配置されており、取付部２２２Ｂのそれぞれには矩形の係合孔２２６Ｂが形成されている。
【００３１】
アタッチメント２３０Ａは、上側壁２３１Ａと、上側壁２３１ＡのＹ方向の両縁部から−Ｚ方向に延びる側壁２３３Ａ，２３４Ａと、側壁２３３Ａ，２３４Ａからそれぞれ＋Ｙ方向及び−Ｙ方向に突出して延びる係合片２３２Ａと、側壁２３３Ａ，２３４Ａの＋Ｘ方向の端部から屈曲して延出する板バネ２３７Ａとを有している。アタッチメント２３０Ａは、係合片２３２Ａを除いてアダプタ本体２２０の取付部２２２Ａの間に収容可能な寸法に形成されている。アタッチメント２３０Ａの係合片２３２Ａは、取付部２２２Ａの係合孔２２６Ａに対応して形成されており、弾性的に変形可能となっている。したがって、アタッチメント２３０Ａを取付部２２２Ａの間に挿入していくと、係合片２３２ＡがＹ方向に弾性変形し、係合片２３２Ａが取付部２２２Ａの係合孔２２６Ａに至ったときに、係合片２３２Ａが元の形状に戻ることにより、図６に示すように、アタッチメント２３０Ａの係合片２３２Ａの−Ｘ方向の端部が取付部２２２Ａの係合孔２２６Ａに係合するようになっている。これにより、アタッチメント２３０Ａが−Ｘ方向に移動することが規制され、板バネ２３７Ａによって確実にフェルール１０２Ａを付勢することができる。
【００３２】
同様に、アタッチメント２３０Ｂは、上側壁２３１Ｂと、上側壁２３１ＢのＹ方向の両縁部から−Ｚ方向に延びる側壁２３３Ｂ，２３４Ｂと、側壁２３３Ｂ，２３４Ｂからそれぞれ＋Ｙ方向及び−Ｙ方向に突出して延びる係合片２３２Ｂと、側壁２３３Ｂ，２３４Ｂの−Ｘ方向の端部から屈曲して延出する板バネ２３７Ｂとを有している。アタッチメント２３０Ｂは、係合片２３２Ｂを除いてアダプタ本体２２０の取付部２２２Ｂの間に収容可能な寸法に形成されている。アタッチメント２３０Ｂの係合片２３２Ｂは、取付部２２２Ｂの係合孔２２６Ｂに対応して形成されており、弾性的に変形可能となっている。したがって、アタッチメント２３０Ｂを取付部２２２Ｂの間に挿入していくと、係合片２３２ＢがＹ方向に弾性変形し、係合片２３２Ｂが取付部２２２Ｂの係合孔２２６Ｂに至ったときに、係合片２３２Ｂが元の形状に戻ることにより、図６に示すように、アタッチメント２３０Ｂの係合片２３２Ｂの＋Ｘ方向の端部が取付部２２２Ｂの係合孔２２６Ｂに係合するようになっている。これにより、アタッチメント２３０Ｂが＋Ｘ方向に移動することが規制され、板バネ２３７Ｂによって確実にフェルール１０２Ｂを付勢することができる。
【００３３】
フェルール１２０Ａとフェルール１２０Ｂとが互いに突き合わされて接続された後、これらの一体となったフェルール１２０Ａ，１２０Ｂがアダプタ本体２２０の取付部２２２Ａと取付部２２２Ｂとの間に配置される。本実施形態では、図６に示すように、互いに突き合わされた状態のフェルール１２０Ａの背面１２４Ａからフェルール１２０Ｂの背面１２４Ｂまでの距離が、アダプタ本体２２０の取付部２２２Ａと取付部２２２Ｂとの間の距離と略等しくなっているため、一体となったフェルール１２０Ａ，１２０Ｂがアダプタ本体２２０の取付部２２２Ａと取付部２２２Ｂとの間に嵌合するようになっている。その後、フェルール１２０Ａの後方から＋Ｘ方向にアタッチメント２３０Ａを装着し、フェルール１２０Ｂの後方から−Ｘ方向にアタッチメント２３０Ｂを装着する。上述のように、アタッチメント２３０Ａの係合片２３２Ａが取付部２２２Ａの係合孔２２６Ａに係合し、アタッチメント２３０Ｂの係合片２３２Ｂが取付部２２２Ｂの係合孔２２６Ｂに係合することで、アタッチメント２３０Ａの板バネ２３７Ａがフェルール１２０Ａの背面１２４Ａを＋Ｘ方向に付勢し、アタッチメント２３０Ｂの板バネ２３７Ｂがフェルール１２０Ｂの背面１２４Ｂを−Ｘ方向に付勢する。これにより、フェルール１２０Ａ，１２０Ｂが突合せ方向（Ｘ方向）に互いに突き合わされた状態で保持される（図６の矢印参照）。
【００３４】
上述の構成において、アタッチメント２３０Ａの板バネ２３７Ａは、フェルール１２０Ａの後方からフェルール１２０Ａを＋Ｘ方向に付勢する付勢部として機能し、アタッチメント２３０Ｂの板バネ２３７Ｂは、フェルール１２０Ｂの後方からフェルール１２０Ｂを−Ｘ方向に付勢する付勢部として機能する。アタッチメント２３０Ａの板バネ２３７Ａによりフェルール１２０Ａを付勢することにより生じる反発力は、側壁２３３Ａ，２３４Ａが受けるようになっており、ブリッジ部２２１は直接この力を受けないようになっている。同様に、アタッチメント２３０Ｂの板バネ２３７Ｂによりフェルール１２０Ｂを付勢することにより生じる反発力は、側壁２３３Ｂ，２３４Ｂが受けるようになっており、ブリッジ部２２１は直接この力を受けないようになっている。
【００３５】
このように、本実施形態によれば、ＭＴコネクタ１００の２つのフェルール１２０Ａ，１２０Ｂを付勢部としての板バネ２３７Ａ，２３７Ｂによって突合せ方向（Ｘ方向）に付勢することができるので、互いに突き合わされた２つのフェルール１２０Ａ，１２０Ｂの接続を維持することができる。また、板バネ２３７Ａ，２３７Ｂによりフェルール１２０Ａ，１２０Ｂを付勢することにより生じる反発力をアタッチメント２３０Ａ，２３０Ｂの側壁２３３Ａ，２３４Ａ，２３３Ｂ，２３４Ｂが受けるようになっているので、フェルール１２０Ａ，１２０Ｂを付勢することにより生じる反発力によってブリッジ部２２１が変形することが抑制される。したがって、フェルール１２０Ａ，１２０Ｂには、フェルール１２０Ａ，１２０Ｂに対する付勢に起因して突合せ方向（Ｘ方向）に対して斜めの力がほとんど作用しないため、互いに突き合わされたフェルール１２０Ａ，１２０Ｂ間の光学特性を安定させることができる。
【００３６】
また、本実施形態では、多心光コネクタ用接続アダプタ２１０のアダプタ本体２２０とアタッチメント２３０Ａ，２３０Ｂとが別体として形成されているが、アダプタ本体２２０とアタッチメント２３０Ａ，２３０Ｂとを一体に形成してもよい。しかしながら、上述したように、作業性の観点からは、アダプタ本体２２０とアタッチメント２３０Ａ，２３０Ｂとを別体とすることが好ましい。
【００３７】
本実施形態では、アダプタ本体２２０の取付部２２２Ａ，２２２Ｂに係合孔２２６Ａ，２２６Ｂを形成し、アタッチメント２３０Ａ，２３０Ｂに係合片２３２Ａ，２３２Ｂを形成した例を説明したが、これに限られるものではない。例えば、アダプタ本体２２０の取付部２２２Ａ，２２２Ｂに係合片を形成し、アタッチメント２３０Ａ，２３０Ｂにこれらの係合片が係合する係合孔を形成してもよい。また、このような係合片や係合孔が形成される部分は、取付部２２２Ａ，２２２Ｂやアタッチメント２３０Ａ，２３０Ｂの２３３Ａ，２３３Ｂ，２３４Ａ，２３４Ｂに限られるものではない。
【００３８】
これまで本発明の好ましい実施形態について説明したが、本発明は上述の実施形態に限定されず、その技術的思想の範囲内において種々異なる形態にて実施されてよいことは言うまでもない。
【符号の説明】
【００３９】
１０    多心光コネクタ用接続アダプタ
２０      アダプタ本体
２１Ａ，２１Ｂ  収容部
２２    連結部
２３Ａ，２３Ｂ  下側壁
２４Ａ，２４Ｂ，２５Ａ，２５Ｂ  側壁
２６Ａ，２６Ｂ  係合孔
２７Ａ，２７Ｂ  上側壁
３０Ａ，３０Ｂ  アタッチメント
３１Ａ，３１Ｂ  上側壁
３２Ａ，３２Ｂ  係合片
３３Ａ，３３Ｂ，３４Ａ，３４Ｂ  側壁
３５Ａ，３５Ｂ  後方壁
３６Ａ，３６Ｂ  バネ保持部
３７Ａ，３７Ｂ  コイルバネ（付勢部）
１００    ＭＴコネクタ（多心光コネクタ）
１１０Ａ，１１０Ｂ  多心光ファイバテープ心線
１２０Ａ，１２０Ｂ  フェルール
１２２    接合面
１２４Ａ，１２４Ｂ  背面
１３０    ガイドピン
１３２    ガイド孔
１４０    光ファイバ
２１０    多心光コネクタ用接続アダプタ
２２０    アダプタ本体
２２１    ブリッジ部
２２２Ａ，２２２Ｂ  取付部
２２６Ａ，２２６Ｂ  係合孔
２３０Ａ，２３０Ｂ  アタッチメント
２３１Ａ，２３１Ｂ  上側壁
２３２Ａ，２３２Ｂ  係合片
２３３Ａ，２３３Ｂ，２３４Ａ，２３４Ｂ  側壁
２３７Ａ，２３７Ｂ  板バネ（付勢部）
【図１】
2019113713.tif 000003
【図２】
2019113713.tif 000004
【図３】
2019113713.tif 000005
【図４】
2019113713.tif 000006
【図５】
2019113713.tif 000007
【図６】
2019113713.tif 000008